【手続補正書】
【提出日】平成16年10月19日(2004.10.19)
【手続補正１】
【補正対象書類名】明細書
【補正対象項目名】発明の名称
【補正方法】変更
【補正の内容】
【発明の名称】プリンタ駆動制御用プログラム、このプリンタ駆動用プログラムを格納したコンピュータ読み取り可能な記録媒体および画像処理装置
【手続補正２】
【補正対象書類名】明細書
【補正対象項目名】特許請求の範囲
【補正方法】変更
【補正の内容】
【特許請求の範囲】
【請求項１】
文字あるいは画像データをプリンタが解釈できる印刷データに変換する機能と、プリンタの状態を見ながらプリンタに印刷データを送信する機能とをコンピュータに実現させるプリンタ駆動用プログラムにおいて、両面印刷を実行させる機能と、両面印刷において指定ページを用紙の表面に印刷させ、裏面に白紙データを挿入して印刷させる機能とを有すること特徴とするプリンタ駆動制御用プログラム。
【請求項２】
指定ページが用紙の裏面に印刷される場合に、指定ページの代わりに白紙データを挿入し、次の用紙の表面に指定ページを印刷させることを特徴とする請求項１記載のプリンタ駆動制御用プログラム。
【請求項３】
文字あるいは画像データをプリンタが解釈できる印刷データに変換する機能と、プリンタの状態を見ながらプリンタに印刷データを送信する機能とをコンピュータに実現させるプリンタ駆動用プログラムにおいて、両面印刷を実行させる機能と、指定ページ数の印刷データに基づいて両面印刷を実行させ、続く印刷データを用紙の表面に印刷し、裏面に白紙データを挿入して指定ページ数と同じ用紙枚数の印刷を実行させる機能とを有すること特徴とするプリンタ駆動用プログラム。
【請求項４】
両面印刷に続く印刷データが裏面に印刷される場合に、前ページの裏面に白紙データを挿入して指定ページを表面に印刷させることを特徴とする請求項３記載のプリンタ駆動用プログラム。
【請求項５】
請求項１〜４のいずれか１項に記載したプリンタ駆動用プログラムを格納したことを特徴とするコンピュータ読み取り可能な記録媒体。
【請求項６】
文字あるいは画像データをプリンタが解釈できる印刷データに変換して、プリンタの状態を見ながらプリンタに印刷データを送信するプリンタ駆動制御手段を有する画像処理装置において、前記プリンタ駆動制御手段に、両面印刷を実行させる手段と、両面印刷において指定ページを用紙の表面に印刷させ、裏面に白紙データを挿入して印刷させる手段とを備えたこと特徴とする画像処理装置。
【請求項７】
指定ページが用紙の裏面に印刷される場合に、指定ページの代わりに白紙データを挿入し、次の用紙の表面に指定ページを印刷させることを特徴とする請求項６記載の画像処理装置。
【請求項８】
文字あるいは画像データをプリンタが解釈できる印刷データに変換して、プリンタの状態を見ながらプリンタに印刷データを送信するプリンタ駆動制御手段を有する画像処理装置において、前記プリンタ駆動制御手段に、両面印刷を実行させる手段と、指定ページ数の印刷データに基づいて両面印刷を実行させ、続く印刷データを用紙の表面に印刷し、裏面に白紙データを挿入して指定ページ数と同じ用紙枚数の印刷を実行させる手段とを備えたことを特徴とする画像処理装置。
【請求項９】
両面印刷に続く印刷データが裏面に印刷される場合に、前ページの裏面に白紙データを挿入して指定ページを表面に印刷させることを特徴とする請求項８記載の画像処理装置。
【手続補正３】
【補正対象書類名】明細書
【補正対象項目名】０００１
【補正方法】変更
【補正の内容】
【０００１】
【発明の属する技術分野】
本発明は、アプリケーション・ソフトやＯＳから受け取った文字あるいは画像データをプリンタが解釈できるデータに変換し、プリンタの状態を見ながらデータを送信する役目を担っており、一般にプリンタ・ドライバと称されているプリンタ駆動制御用プログラム、このプリンタ駆動用プログラムを格納したコンピュータ読み取り可能な記録媒体および画像処理装置に関する。
【手続補正４】
【補正対象書類名】明細書
【補正対象項目名】０００８
【補正方法】変更
【補正の内容】
【０００８】
本発明は、このような問題点を解決し、プリンタコントローラおよびプリンタ本体を変更することなく、印刷ジョブの途中で両面と片面を切り替えて印刷することを実現したプリンタ駆動制御用プログラム、このプリンタ駆動用プログラムを格納したコンピュータ読み取り可能な記録媒体および画像処理装置を提供することを目的とする。
【手続補正５】
【補正対象書類名】明細書
【補正対象項目名】００１１
【補正方法】変更
【補正の内容】
【００１１】
請求項３に係る発明は、文字あるいは画像データをプリンタが解釈できる印刷データに変換する機能と、プリンタの状態を見ながらプリンタに印刷データを送信する機能とをコンピュータに実現させるプリンタ駆動用プログラムにおいて、両面印刷を実行させる機能と、指定ページ数の印刷データに基づいて両面印刷を実行させ、続く印刷データを用紙の表面に印刷し、裏面に白紙データを挿入して指定ページ数と同じ用紙枚数の印刷を実行させる機能とを有すること特徴とする。このように構成したことにより、両面印刷指定のままの印刷を行いながらプリンタ・ドライバで白紙ページを挿入することによって擬似的に片面印刷が実現可能となり、プリンタコントローラおよびプリンタ本体を変更することなく、印刷ジョブの途中で両面と片面を切り替えて印刷することができる。また、ページ数単位で両面・片面印刷を指定可能とすることにより、使用者の任意のページ数毎に片面印刷できるようにすることができる。
【手続補正６】
【補正対象書類名】明細書
【補正対象項目名】００１３
【補正方法】変更
【補正の内容】
【００１３】
請求項５に係る発明は、コンピュータ読み取り可能な記録媒体において、請求項１〜４のいずれか１項に記載したプリンタ駆動用プログラムを格納したことを特徴とする。このように構成したことにより、ページ毎に両面・片面印刷を指定可能とすることにより、使用者の任意のページを片面印刷すること、あるいは、ページ数単位で両面・片面印刷を指定可能とすることで、ユーザの任意のページ数毎に片面印刷することを目的としたプリンタ駆動用プログラムをコンピュータに導入することができる。
請求項６に係る発明は、文字あるいは画像データをプリンタが解釈できる印刷データに変換して、プリンタの状態を見ながらプリンタに印刷データを送信するプリンタ駆動制御手段を有する画像処理装置において、前記プリンタ駆動制御手段に、両面印刷を実行させる手段と、両面印刷において指定ページを用紙の表面に印刷させ、裏面に白紙データを挿入して印刷させる手段とを備えたこと特徴とする。
請求項７に係る発明は、請求項６に係る発明において、指定ページが用紙の裏面に印刷される場合に、指定ページの代わりに白紙データを挿入し、次の用紙の表面に指定ページを印刷させることを特徴とする。
請求項８に係る発明は、文字あるいは画像データをプリンタが解釈できる印刷データに変換して、プリンタの状態を見ながらプリンタに印刷データを送信するプリンタ駆動制御手段を有する画像処理装置において、前記プリンタ駆動制御手段に、両面印刷を実行させる手段と、指定ページ数の印刷データに基づいて両面印刷を実行させ、続く印刷データを用紙の表面に印刷し、裏面に白紙データを挿入して指定ページ数と同じ用紙枚数の印刷を実行させる手段とを備えたことを特徴とする。
請求項９に係る発明は、請求項８に係る発明において、両面印刷に続く印刷データが裏面に印刷される場合に、前ページの裏面に白紙データを挿入して指定ページを表面に印刷させることを特徴とする。